(57)【要約】【課題】比較的強度があり、軽量で摺動抵抗が少なく、運搬、設置及び交換が容易で安価なすべり支承用防塵カバーを提供する。【構成】構造物に対向する基礎１２上に設置されるすべり板１３を防塵する防塵カバーであって、内部に段ボール状の多数の空洞１６を備えた複数のプラスチックボード片１０ａ、１０ｂが分離自在に接合されている。各プラスチックボード片１０ａ、１０ｂの接合部の中間部分に、すべり支承本体１４に嵌入しうる大きさの開口を形成する凹部１０ｄ、１０ｅがそれぞれ設けられている。さらに、複数のプラスチックボード片１０ａ、１０ｂの接合部１０ｃに、各プラスチックボード片を相互に着脱自在に係止する締付け部が設けられている。【選択図】　　図１
2004076472.tif 000002
【特許請求の範囲】
【請求項１】
基礎上に設置されるすべり板と、構造物に固定されるすべり支承本体と、前記すべり支承本体の底面に固着されて前記すべり板上を摺動するすべり材とからなるすべり支承における、前記すべり板を防塵する防塵カバーであって、
内部に多数の空洞を備えた複数のプラスチックボード片を、分離自在に接合すると共に、各プラスチックボード片の接合部の中間部分に、前記すべり支承本体に嵌入しうる大きさの開口を形成する凹部をそれぞれ設け、
前記複数のプラスチックボード片の接合部に、各プラスチックボード片を相互に着脱自在に係止する締付け部を設けたことを特徴とするすべり支承用防塵カバー。
【請求項２】
前記プラスチックボード片は、ポリプロピレン樹脂を原材料として形成されたものであることを特徴とする請求項１記載のすべり支承用防塵カバー。
【請求項３】
前記プラスチックボード片は、連続する波形に成形されたプラスチック板体の片面又は両面に、平坦なプラスチックシートを貼り合わせてなるものであることを特徴とする請求項１または２記載のすべり支承用防塵カバー。
【請求項４】
前記プラスチックボード片は、内部にハニカム状空洞が設けられたプラスチック板体からなるものであることを特徴とする請求項１または２記載のすべり支承用防塵カバー。
【請求項５】
前記プラスチックボード片は、前記接合部を除く外縁部の内側に詰め物が装着されて同外縁部が外側に反り返った状態に湾曲されてなるものであることを特徴とする請求項１記載のすべり支承用防塵カバー。
【請求項６】
前記締付け部は、前記プラスチックボード片とは異なる部材からなり、前記プラスチックボード片に装着されていることを特徴とする請求項１記載のすべり支承用防塵カバー。
【発明の詳細な説明】
【０００１】
【発明の属する技術分野】
本発明は、免震構造物に使用されるすべり支承（転がり支承を含む。以下同じ。）のすべり板に塵埃等の異物が付着することを防止するすべり支承用防塵カバーに関する。
【０００２】
【従来の技術】
免震構造は、建物等の構造物と地盤、床面等の基礎部との間に、同構造物の剛性に比べて遙かに低い水平剛性を有する免震部材を設けることで構成されている。その免震部材のひとつとして、すべり支承とゴム状弾性体と金属などの高剛性板を積層した積層ゴム支承または防振ゴム（以下復元ゴムという）を組み合わせた免震システムがある。このような免震システムは、構造物の荷重をすべり支承で支持し、復元ゴムには支持させないで復元機能をもたせたもの、あるいは復元ゴムにも荷重支持機能をもたせたものがある。
【０００３】
すべり支承には、すべり材の一面に、ゴム状弾性体と金属板を交互に積層した積層ゴムを直列に配してなる弾性すべり支承と、すべり材のみ又は薄いゴム状弾性体を直列に配してなる剛すべり支承がある。いずれのすべり支承も、地盤等の基礎部と戸建て住宅等の軽量構造物とに、互いに摺動可能に設けられたすべり板及びすべり材を備えている。
【０００４】
すべり支承は、通常時にはすべり材が戸建て住宅等の軽量構造物の荷重を支え、地震時にはすべり材がすべり板上を摺動し、動摩擦係数により発生した水平力（鉛直荷重×動摩擦係数）により地震エネルギーを熱エネルギーとして吸収する。地震時に水平移動した同軽量構造物は復元ゴムによってほぼ原点（通常時の構造物位置）に復帰される。
【０００５】
すべり材は静止摩擦係数を超えた水平力が加わるとすべり板上を摺動する。すべり始めてからのすべり支承の剛性は、ほぼゼロになるため、復元ゴムの剛性を任意に設定することで免震層の長周期化が可能となる。
【０００６】
なお、すべり材としては古くから四フッ化エチレン樹脂（ＰＴＦＥ）が用いられているが、近年、ＰＴＦＥよりも高強度で摩耗性に優れ、経済的なナイロン等のポリアミド系樹脂が用いられるようになった。すべり板はステンレス鋼板やフッ素樹脂等がコーティングされたステンレス鋼板が用いられている。
【０００７】
すべり板は構造物の基礎（下側）に設置されることが多いため、長期に亘って使用されるすべり板上に塵埃が堆積する。一般の免震層の塵埃は粘度が低くサラサラしているため、地震時にすべり支承が摺動しても塵埃を摺動面に巻き込むことはない。しかしながら、免震構造物の普及により、様々な設置環境下のすべり支承のすべてが前述の環境下とは言い切れず、また、すべり板の維持管理（すべり板の表面状態を目視確認する）を容易にするためにも防塵カバーを設置した方が好ましいと言える。
【０００８】
従来の防塵カバーとしては、▲１▼例えば特開平１１−２３６９４２号公報に示されるようなアクリル樹脂製や鋼製のカバー、▲２▼例えば特開平２０００−３１０２７７号公報に示されるような発泡体からなるカバー、▲３▼プラスチックフィルム製のカバー等がある。
これらの防塵カバーは、いずれもすべり板の全面を覆うことができる大きさであって、すべり支承本体を中心とする箱形や平面四辺形の平板状等に成形され、すべり支承本体に装着されて使用されるものである。
【０００９】
【発明が解決しようとする課題】
上記のような従来の技術には、次のような解決すべき課題があった。
すなわち、上記▲１▼のアクリル樹脂製や鋼製の防塵カバーは、堅牢ではあるが、重く高価である。特に狭い免震層における維持管理時の脱着や再設置には相当の労力を要する。また、鋼製の防塵カバーはすべり支承の摺動には追従するが、すべり支承が建物の側部や隅部に設置された場合は免震層の壁面に激突して同壁面や免震部材の損傷につながることが予想される。
【００１０】
また、上記▲２▼の発泡体からなる防塵カバーは、軽量で取扱いも容易であるが、比較的高価であり、図８に示すように、すべり支承１が建物２の隅部に設置された場合は、摺動時に、建物２の底部周囲に立設されている壁面３に激突して発泡体製の防塵カバー４が破損し発泡材が飛散することになる。発泡体の飛散は環境には好ましくなく、また交換にも費用がかかる。
【００１１】
また、上記▲３▼の防塵カバーは、上記▲１▼、▲２▼と比較すると機能的に最も優れるが、低コストが求められる戸建住宅や低層建築等の軽量建物の免震部材付属品としてはまだ高価であり、費用がかかる。
【００１２】
本発明は、上記の課題を解消するためになされたもので、比較的強度があり、軽量で摺動抵抗が少なく、運搬、設置及び交換が容易で安価なすべり支承用防塵カバーを提供することを目的とする。
【００１３】
【課題を解決するための手段】
本発明は前記目的を達成するため、次のような構成を有する。
〈構成１〉
基礎上に設置されるすべり板と、構造物に固定されるすべり支承本体と、上記すべり支承本体の底面に固着されて上記すべり板上を摺動するすべり材とからなるすべり支承における、上記すべり板を防塵する防塵カバーであって、内部に多数の空洞を備えた複数のプラスチックボード片を、分離自在に接合すると共に、各プラスチックボード片の接合部の中間部分に、上記すべり支承本体に嵌入しうる大きさの開口を形成する凹部をそれぞれ設け、上記複数のプラスチックボード片の接合部に、各プラスチックボード片を相互に着脱自在に係止する締付け部を設けたことを特徴とするすべり支承用防塵カバー。
【００１４】
〈構成２〉
上記プラスチックボード片は、ポリプロピレン樹脂を原材料として形成されたものであることを特徴とする構成１記載のすべり支承用防塵カバー。
【００１５】
〈構成３〉
上記プラスチックボード片は、連続する波形に成形されたプラスチック板体の片面又は両面に、平坦なプラスチックシートを貼り合わせてなるものであることを特徴とする構成１または２記載のすべり支承用防塵カバー。
【００１６】
〈構成４〉
上記プラスチックボード片は、内部にハニカム状空洞が設けられたプラスチック板体からなるものであることを特徴とする構成１または２記載のすべり支承用防塵カバー。
【００１７】
〈構成５〉
上記プラスチックボード片は、上記接合部を除く外縁部の内側に詰め物が装着されて同外縁部が外側に反り返った状態に湾曲されてなるものであることを特徴とする構成１記載のすべり支承用防塵カバー。
【００１８】
〈構成６〉
上記締付け部は、上記プラスチックボード片とは異なる部材からなり、上記プラスチックボード片に装着されていることを特徴とする構成１記載のすべり支承用防塵カバー。
【００１９】
【発明の実施の形態】
以下、本発明のすべり支承用防塵カバーにおける実施の形態について図面を参照して説明する。
図１は平板状に形成された本発明の防塵カバー１０を、剛すべり支承１１に平置きした場合の実施例を示している。図２は、箱形に形成された本発明の防塵カバー２０を、弾性すべり支承２１に使用した場合の実施例を示している。図３は、本発明の防塵カバー１０を構成するプラスチックボード片を示している。
【００２０】
図１において、剛すべり支承１１は、基礎１２上に設置されたすべり板１３と、建物等の構造物（図示せず）に固定されたすべり支承本体１４と、このすべり支承本体の底面に固着されてすべり板１３上を摺動するすべり材１５とから構成されている。防塵カバー１０は、すべり板１３上に平置きされた状態で、剛すべり支承１１の下部に装着されている。
【００２１】
防塵カバー１０は、図３に示されるように２枚の矩形のプラスチックボード片１０ａ、１０ｂを突き合わせ分離自在に接合したものである。各プラスチックボード片１０ａ、１０ｂの接合部１０ｃの中間部分に、円柱形のすべり支承本体１４に嵌入しうる大きさであって、合わせて１つの円形開口を形成する半円形の凹部１０ｄ、１０ｅがそれぞれ設けられている。なお、すべり支承本体１４が四角柱の場合は、各プラスチックボード片１０ａ、１０ｂの開口もそれに合わせた四角形となる。
【００２２】
プラスチックボード片１０ａ、１０ｂは、図３に示されるように内部に多数の細長の空洞１６が並列に配された平板状に形成されている。これらの空洞１６は、主に軽量化を図るためのもので、段ボールのように、連続する波形に成形されたプラスチック板体の片面又は両面に、平坦なプラスチックシートを貼り合わせることにより構成されているが、この構造に限られず、他の構造、例えば周知のハニカム状空洞でもよい。
【００２３】
プラスチックボード片１０ａ、１０ｂの材料としては、軽量かつ高強度であり、さらに、耐熱性、耐水性、耐油性、耐薬品性、耐候性に優れ、比較的安価なプラスチック、例えばポリプロピレン樹脂が好ましい。
【００２４】
また、プラスチックボード片１０ａ、１０ｂは、プラスチック製であることから、摺動抵抗（摩擦係数）が比較的低く、また内部に多数の空洞を有することから、重量が軽く、すべり板１３上に直接載せてもすべり支承１１の摺動時に抵抗とならず、すべり材１５との摺動面に巻き込まれることもない。
【００２５】
さらに、プラスチックボード片１０ａ、１０ｂは、裁断、打ち抜き及び折り曲げ加工が容易であり、任意の形状に形成することができる。例えば、図示しないが、プラスチックボード片１０ａ、１０ｂの、接合部１０ｃを除く外縁部の内側に、フェルト等の詰め物を装着して外側の塵埃等の異物が侵入しない状態にすると共に、同外縁部を外側に少し反り返った状態に湾曲成形しておくことによって、防塵カバー１０がよりスムーズに摺動することを可能にする。
【００２６】
プラスチックボード片１０ａ、１０ｂの接合部１１ｃに、各プラスチックボード片を相互に着脱自在に係止する締付け部が設けられている。締付け部は、プラスチックボード片とは異なる部材からなり、プラスチックボード片に装着されている。
【００２７】
図４〜７に各種の締付け部を例示している。すなわち、図４（ａ）、（ｂ）に示した締付け部は、一方のプラスチックボード片１０ａに、ピン３１に軸支された鉤金具３０を設け、他方のプラスチックボード片１０ｂに、鉤金具３０を係止する止めピン３２を設けてなるものである。このような締付け部をプラスチックボード片１０ａ、１０ｂの接合部１１ｃにそって数箇所に設け、鉤金具３０を止めピン３２に係止することにより、プラスチックボード片１０ａ、１０ｂを連結する。
【００２８】
図５（ａ）、（ｂ）に示した締付け部は、プラスチックボード片１０ａ、１０ｂの接合部１１ｃ間に跨って貼着される粘着テープ４０からなるものである。
図６（ａ）、（ｂ）に示した締付け部は、プラスチックボード片１０ａ、１０ｂの接合部１１ｃ間に跨って貼着されるマジックテープ（登録商標）のような平面ファスナ５０からなるものである。
図７に示した締付け部は、プラスチックボード片１０ａ及び１０ｂに、それぞれ紐止め輪６１、６２を配設し、これらの紐止め輪６１、６２に糸などの可撓紐６０を巻き付けることにより連結するようにしたものである。
【００２９】
図２に、弾性すべり支承２１に使用した防塵カバー２０の例を示している。
図２において、弾性すべり支承２１は、基礎１２上に設置されたすべり板１３と、建物等の構造物（図示せず）に固定された弾性すべり支承本体２４と、この弾性すべり支承本体下部の積層ゴム体２５の底面に固着されてすべり板１３上を摺動するすべり材１５とから構成されている。防塵カバー２０は、積層ゴム体２５及びすべり板１３を包覆する状態で、弾性すべり支承本体２４に装着されている。
【００３０】
防塵カバー２０は、図３に示した構造と同等の内部に多数の空洞を有する２つのプラスチックボード片を突き合わせた状態で平面四辺形の箱形に形成し分離自在に接合してなるものである。この防塵カバー２０の場合も、各プラスチックボード片の接合部の中間部分に、すべり支承本体１４に嵌入しうる大きさの開口を形成する半円形の凹部１０ｄ、１０ｅがそれぞれ設けられ、また、各プラスチックボード片の接合部に、図４〜７に示したような各プラスチックボード片を相互に着脱自在に係止する締付け部が設けられている。
【００３１】
設置された防塵カバーは、すべり支承本体を中心としてすべり板１３の全面を覆うが、薄肉軽量であり、すべり支承本体と一体に動いてすべり板１３上をスムーズに摺動し、すべり板１３を傷付けることはない。また設置された防塵カバーが脱落したり壁面に衝突しても危険性や特性阻害がなく、交換も容易である。
【００３２】
プラスチックボード片１０ａ、１０ｂは、アルミニウム板、塩ビ板、発泡樹脂板との貼り合わせが容易であり、用途によって複合加工が可能である。
プラスチックボード片１０ａ、１０ｂは、現地組立ても容易であり、また表面の特殊加工が可能であり、用途によっては非帯電性としたり耐候性を高めたりすることができる。
【００３３】
【発明の効果】
以上、本発明の防塵カバーによれば、すべり板を包覆するプラスチックボード片を、内部に多数の空洞を備えたものとし、このプラスチックボード片の複数枚を分離自在に接合したものであるから、比較的強度があり、しかも軽量で摺動抵抗が少なく、運搬、設置及び交換が容易で安価であるという効果が得られる。
【図面の簡単な説明】
【図１】本発明に係わるすべり支承用防塵カバーの一実施例を示す縦断面図である。
【図２】本発明の他の実施例を示す縦断面図である。
【図３】図１に示した実施例において使用した防塵カバーを示す斜視図である。
【図４】本発明に係わるすべり支承用防塵カバーの接合部分の一例を示す図で、（ａ）は平面図、（ｂ）は正面図である。
【図５】本発明に係わるすべり支承用防塵カバーの接合部分の他の例を示す図で、（ａ）は平面図、（ｂ）は正面図である。
【図６】本発明に係わるすべり支承用防塵カバーの接合部分のさらに他の例を示す図で、（ａ）は平面図、（ｂ）は正面図である。
【図７】本発明に係わるすべり支承用防塵カバーの接合部分のさらに他の例を示す平面図である。
【図８】従来の防塵カバーを取り付けた状態を示す概略図である。
【符号の説明】
１０、２０　防塵カバー
１０ａ、１０ｂ　プラスチックボード片
１０ｃ　接合部
１０ｄ、１０ｅ　凹部
１１　剛すべり支承
１２　基礎
１３　すべり板
１４　すべり支承本体
１５　すべり材
１６　空洞
２１　弾性すべり支承
３０　鉤金具
３２　止めピン
４０　粘着テープ
５０　平面ファスナ
６０　可撓紐
６１、６２　紐止め輪
【図１】
2004076472.tif 000003
【図２】
2004076472.tif 000004
【図３】
2004076472.tif 000005
【図４】
2004076472.tif 000006
【図５】
2004076472.tif 000007
【図６】
2004076472.tif 000008
【図７】
2004076472.tif 000009
【図８】
2004076472.tif 000010